(57)【要約】【課題】送信装置は伝送信号をアップコンバートし，受信装置は受信信号をダウンコンバートする送受信システムで伝送信号を正確に復元する。【解決手段】送信装置は基本信号とこの信号の前後に所定周波数離れたパイロット信号とからなる伝送信号をアップコンバートする。受信装置は受信信号をダウンコンバートし，受信伝送信号とこの信号に含まれるパイロット信号の一方のパイロット信号に対応した受信パイロット信号を抽出する。受信パイロット信号の基となるパイロット信号と同一周波数のパイロット信号を生成し，この信号と受信パイロット信号から補正信号を生成し，この信号と受信伝送信号を混合し元の伝送信号を抽出する。受信装置で生成するパイロット信号は，受信装置で抽出した元の２つのパイロット信号の差成分を基準信号，パイロット信号の内他方のパイロット信号を比較信号として位相比較で生じる制御電圧で動作する発振器で生成される。【選択図】  図２
2006014115.tif 000002
【特許請求の範囲】
【請求項１】
基本信号と，当該基本信号の前後に所定の周波数だけ離れて加えられたパイロット信号とからなる送信すべき伝送信号を，送信側局発信号を用いて伝送信号より高い周波数帯へアップコンバートし，当該アップコンバート後の信号を送信アンテナから放射する送信装置と，
前記送信アンテナからの送信電波を受信アンテナによって受信し，当該受信信号を受信側局発信号を用いてダウンコンバートすることにより，前記伝送信号を復元する受信装置と，を備え，
前記受信装置では，前記受信信号をダウンコンバートすることによって得られた信号を，前記伝送信号に対応した受信伝送信号と，当該受信伝送信号に含まれる前記パイロット信号のどちらか一方のパイロット信号に対応した受信パイロット信号とを抽出するように構成されると共に，当該受信パイロット信号の基となる前記伝送信号のパイロット信号と同一周波数のパイロット信号を生成し，当該生成したパイロット信号と前記受信パイロット信号とを混合することにより，これら両信号の周波数の差の周波数を有する補正信号を生成して，当該生成した補正信号と前記受信伝送信号とを混合することにより前記受信信号を周波数変換し，当該周波数変換後の信号から前記送信装置が送信してきた元の伝送信号を抽出するように構成された送受信システムにおいて，
この受信装置において生成されるパイロット信号は，当該受信装置から抽出された元の伝送信号に含まれる２つのパイロット信号の差の成分を基準信号とし，当該２つのパイロット信号のうち前記補正に使用しなかった他方のパイロット信号成分を比較信号として，当該基準信号と比較信号との位相比較によって生じる制御電圧によって動作する電圧制御発振器によって生成されることを特徴とした送受信システム。
【請求項２】
基本信号と当該基本信号の前後に所定の周波数だけ離れて加えられたパイロット信号とからななる送信すべき伝送信号を，送信側局発信号を用いて伝送信号より高い周波数帯へアップコンバートし，当該アップコンバート後の信号を送信アンテナから放射する送信装置からの送信電波を受信アンテナによって受信し，当該受信信号を受信側局発信号を用いてダウンコンバートすることにより，前記伝送信号を復元するために，
前記受信側局発信号を発生する受信側局発信号発生手段と，
当該受信側局発信号発生手段が発生した受信側局発信号を用いて前記受信アンテナからの受信信号をダウンコンバートする第１周波数変換手段と，
当該第１周波数変換手段にて周波数変換された信号を，前記伝送信号に対応する受信伝送信号と当該受信伝送信号に含まれる前記パイロット信号のどちらか一方のパイロット信号に対応した受信パイロット信号とを抽出するように構成した信号分配手段と，
前記受信装置側で生成される受信パイロット信号の基となる前記伝送信号のパイロット信号と同一周波数のパイロット信号を生成するパイロット信号生成手段と，
当該パイロット信号生成手段にて生成されたパイロット信号と前記信号分配手段にて分配された受信パイロット信号とを混合することにより，これら両信号の周波数の差の周波数を有する補正信号を生成する補正信号生成手段と，
当該補正信号生成手段にて生成された補正信号と前記受信伝送信号とを混合することによって，前記受信伝送信号を周波数変換する第２周波数変換手段と，
当該第２周波数変換手段に周波数変換された信号から前記送信装置が送信してきた元の伝送信号を抽出する信号抽出手段と，を備えた受信装置において，
この受信装置において生成されるパイロット信号は，当該受信装置から抽出された元の伝送信号に含まれる２つのパイロット信号の差の成分を基準信号とし，当該２つのパイロット信号のうち前記補正に使用しなかった他方のパイロット信号成分を比較信号として，当該基準信号と比較信号との位相比較によって生じる制御電圧によって動作する電圧制御発振器によって生成されることを特徴とした受信装置。
【請求項３】
前記送信装置は伝送信号を３〜７０ＧＨｚ帯の信号にアップコンバートし，当該アップコンバート後の信号を送信アンテナから放射し，前記受信装置は前記送信アンテナからの送信電波を受信アンテナによって受信し，当該受信信号をダウンコンバートすることにより，前記伝送信号を復元するように構成したことを特徴としたことを特徴とした請求項１に記載の送受信システム又は請求項２に記載の受信装置。
【発明の詳細な説明】
【技術分野】
【０００１】
本発明は，送信すべき伝送信号をアップコンバートし，当該アップコンバート後の信号を送信アンテナから放射し，前記受信装置は前記送信アンテナからの送信電波を受信アンテナによって受信し，当該受信信号をダウンコンバートすることにより，前記伝送信号を復元するように構成した送受信システム，及び，受信装置に関する。
【背景技術】
【０００２】
従来の送受信システムにおいて，送信装置は，送信すべきデータ信号と，当該データ信号をアップコンバートするため送信側局発信号を符号化したデータ信号とを多重化し，所定の変調が行われた伝送信号をアップコンバートし，当該アップコンバート後の信号を送信アンテナから放射する。また受信装置は前記送信アンテナからの送信電波を受信アンテナによって受信し，当該受信信号をダウンコンバートすると共に，前記伝送信号を復調して得られる受信データ信号を多重分割することにより，前記伝送信号から元の送信すべきデータ信号と，送信側局発信号に関するデータ信号を復元するように構成されており，前記受信側局発信号は，前記送信側局発信号に関するデータ信号から得られる周波数検出結果に基づいて周波数の調整が行われている。（例えば，特許文献１の図２における現用送信部と受信部における関係。）
【０００３】
【特許文献１】特開２００２−３０００４６号公報
【発明の開示】
【発明が解決しようとする課題】
【０００４】
しかし，従来の送受信システムによると，送信周波数を高くすることによって，送信すべき伝送信号を複数回の周波数変換を行う必要があり，この場合夫々の受信側局発信号に対して，その情報を符号化して，前記伝送信号に多重化して送信する必要が生じ回路が複雑になるといった問題があった。
さらに従来のシステムにおいては，送信側局発信号と受信側局発信号とは一致するように制御されるものの，例えば送信アンテナと受信アンテナとの空間のカップリングにおけるドップラー効果によって，受信信号の周波数が変動した場合，受信側の局発信号の調整に誤差が生じることとなり，送信装置から送出される伝送信号と受信装置において抽出される元の伝送信号とは同期が取れないことになる。
また，送信側局発信号と受信側局発信号との間で位相差の補正ができないといった問題があった。
そこで本願においては，こうした問題点を解決するためになされたものであり，
その目的は，送信すべき伝送信号をアップコンバートし，当該アップコンバート後の信号を送信アンテナから放射し，前記受信装置は前記送信アンテナからの送信電波を受信アンテナによって受信し，当該受信信号をダウンコンバートすることにより，前記伝送信号を復元するように構成した送受信システムにおいて，送信装置側から受信装置側に局発信号のデータ信号を送信することなく，受信装置側で元の信号を正確に復元できるようにすることにある。
他の目的は，位相雑音と周波数漂動のよい送受信システムを提供することにある。
他の目的は，位相雑音と周波数漂動のよい受信装置を提供することにある。
【課題を解決するための手段】
【０００５】
上記課題を解決するために，請求項１の発明は，基本信号と，当該基本信号の前後に所定の周波数だけ離れて加えられたパイロット信号とからなる送信すべき伝送信号を，送信側局発信号を用いて伝送信号より高い周波数帯へアップコンバートし，当該アップコンバート後の信号を送信アンテナから放射する送信装置と，前記送信アンテナからの送信電波を受信アンテナによって受信し，当該受信信号を受信側局発信号を用いてダウンコンバートすることにより，前記伝送信号を復元する受信装置と，を備え，
前記受信装置では，前記受信信号をダウンコンバートすることによって得られた信号を，前記伝送信号に対応した受信伝送信号と，当該受信伝送信号に含まれる前記パイロット信号のどちらか一方のパイロット信号に対応した受信パイロット信号とを抽出するように構成されると共に，当該受信パイロット信号の基となる前記伝送信号のパイロット信号と同一周波数のパイロット信号を生成し，当該生成したパイロット信号と前記受信パイロット信号とを混合することにより，これら両信号の周波数の差の周波数を有する補正信号を生成して，当該生成した補正信号と前記受信伝送信号とを混合することにより前記受信信号を周波数変換し，当該周波数変換後の信号から前記送信装置が送信してきた元の伝送信号を抽出するように構成された送受信システムにおいて，
この受信装置において生成されるパイロット信号は，当該受信装置から抽出された元の伝送信号に含まれる２つのパイロット信号の差の成分を基準信号とし，当該２つのパイロット信号のうち前記補正に使用しなかった他方のパイロット信号成分を比較信号として，当該基準信号と比較信号との位相比較によって生じる制御電圧によって動作する電圧制御発振器によって生成されるように構成される。
【０００６】
請求項２の発明は，基本信号と当該基本信号の前後に所定の周波数だけ離れて加えられたパイロット信号とからななる送信すべき伝送信号を，送信側局発信号を用いて伝送信号より高い周波数帯へアップコンバートし，当該アップコンバート後の信号を送信アンテナから放射する送信装置からの送信電波を受信アンテナによって受信し，当該受信信号を受信側局発信号を用いてダウンコンバートすることにより，前記伝送信号を復元するために，前記受信側局発信号を発生する受信側局発信号発生手段と，当該受信側局発信号発生手段が発生した受信側局発信号を用いて前記受信アンテナからの受信信号をダウンコンバートする第１周波数変換手段と，当該第１周波数変換手段にて周波数変換された信号を，前記伝送信号に対応する受信伝送信号と当該受信伝送信号に含まれる前記パイロット信号のどちらか一方のパイロット信号に対応した受信パイロット信号とを抽出するように構成した信号分配手段と，前記受信装置側で生成される受信パイロット信号の基となる前記伝送信号のパイロット信号と同一周波数のパイロット信号を生成するパイロット信号生成手段と，当該パイロット信号生成手段にて生成されたパイロット信号と前記信号分配手段にて分配された受信パイロット信号とを混合することにより，これら両信号の周波数の差の周波数を有する補正信号を生成する補正信号生成手段と，当該補正信号生成手段にて生成された補正信号と前記受信伝送信号とを混合することによって，前記受信伝送信号を周波数変換する第２周波数変換手段と，当該第２周波数変換手段に周波数変換された信号から前記送信装置が送信してきた元の伝送信号を抽出する信号抽出手段と，を備えた受信装置において，
この受信装置において生成されるパイロット信号は，当該受信装置から抽出された元の伝送信号に含まれる２つのパイロット信号の差の成分を基準信号とし，当該２つのパイロット信号のうち前記補正に使用しなかった他方のパイロット信号成分を比較信号として，当該基準信号と比較信号との位相比較によって生じる制御電圧によって動作する電圧制御発振器によって生成されるよう構成される。
【０００７】
請求項３の発明は，請求項１に記載の送受信システム又は請求項２に記載の受信装置において，前記送信装置は伝送信号を３〜７０ＧＨｚ帯の信号にアップコンバートし，当該アップコンバート後の信号を送信アンテナから放射し，前記受信装置は前記送信アンテナからの送信電波を受信アンテナによって受信し，当該受信信号をダウンコンバートすることにより，前記伝送信号を復元するように構成される。
【発明の効果】
【０００８】
請求項１の発明によれば，基本信号と，当該基本信号の前後に所定の周波数だけ離れて加えられたパイロット信号とからなる送信すべき伝送信号を，送信側局発信号を用いて伝送信号より高い周波数帯へアップコンバートし，当該アップコンバート後の信号を送信アンテナから放射する送信装置と，前記送信アンテナからの送信電波を受信アンテナによって受信し，当該受信信号を受信側局発信号を用いてダウンコンバートすることにより，前記伝送信号を復元する受信装置と，を備え，
前記伝送信号は，基本信号と，当該基本信号の前後に所定の周波数だけ離れて加えられたパイロット信号とからなり，前記受信装置では，前記受信信号をダウンコンバートすることによって得られた信号を，前記伝送信号に対応した受信伝送信号と，当該受信伝送信号に含まれる前記パイロット信号のどちらか一方のパイロット信号に対応した受信パイロット信号とを抽出するように構成されると共に，当該受信パイロット信号の基となる前記伝送信号のパイロット信号と同一周波数のパイロット信号を生成し，当該生成したパイロット信号と前記受信パイロット信号とを混合することにより，これら両信号の周波数の差の周波数を有する補正信号を生成して，当該生成した補正信号と前記受信伝送信号とを混合することにより前記受信信号を周波数変換し，当該周波数変換後の信号から前記送信装置が送信してきた元の伝送信号を抽出するように構成され，この受信装置において生成されるパイロット信号は，当該受信装置から抽出された元の伝送信号に含まれる２つのパイロット信号の差の成分を基準信号とし，当該２つのパイロット信号のうち前記補正に使用しなかった他方のパイロット信号成分を比較信号として，当該基準信号と比較信号との位相比較によって生じる制御電圧によって動作する電圧制御発振器によって生成されるように構成した。
【０００９】
即ち，受信装置において得られる受信伝送信号である受信基本信号と受信パイロット信号には，送信装置の局発信号発振器と受信機の局発信号発振器によって発生する周波数変動と，送信アンテナと受信アンテナとの間のカップリングによるドップラー効果で発生する周波数偏移を含まれることになるのであるが，前記受信装置において前記基本のパイロット信号と同一の周波数を有するパイロット信号を，前記伝送信号に含まれる２つのパイロット信号から得られる基準信号と比較信号によって動作するＰＬＬ回路で制御される電圧制御発振器を用いて生成し，このパイロット信号と前記受信パイロットとから，両成分の差の周波数を有する補正信号を生成し，この補正信号でもって前記受信伝送信号の周波数を補正することによって元の伝送信号を正確に復元できるようにしてあり，これによって送受信装置間で発生する周波数漂動を大幅に改善することができる。
【００１０】
また，このように補正を行うことができるので送受信装置内に備えられた局発信号発振器は高性能な安定性を有するものを使用しなくても良く，機器の設計が容易となり延いては製品コストの低減が可能となる。
更に受信装置において元の伝送信号を補正して抽出する過程において，位相雑音が低減される事となり，結局この補正に使用するパイロット信号を生成する発振器の位相雑音のみが，元の伝送信号に加算されるだけとなり，送信装置におけるアップコンバートに用いる局発信号発振器及び，受信装置におけるダウンコンバートに用いる局部信号発信器は，特に位相雑音のよい回路を使用することが必要ないためシステムのコストダウンか可能となるのである。
【００１１】
請求項２の発明によれば，基本信号と当該基本信号の前後に所定の周波数だけ離れて加えられたパイロット信号とからななる送信すべき伝送信号を，送信側局発信号を用いて伝送信号より高い周波数帯へアップコンバートし，当該アップコンバート後の信号を送信アンテナから放射する送信装置からの送信電波を受信アンテナによって受信し，当該受信信号を受信側局発信号を用いてダウンコンバートすることにより，前記伝送信号を正確に復元するために，前記受信側局発信号を発生する受信側局発信号発生手段と，当該受信側局発信号発生手段が発生した受信側局発信号を用いて前記受信アンテナからの受信信号をダウンコンバートする第１周波数変換手段と，当該第１周波数変換手段にて周波数変換された信号を，前記伝送信号に対応する受信伝送信号と当該受信伝送信号に含まれる前記パイロット信号のどちらか一方のパイロット信号に対応した受信パイロット信号とを抽出するように構成した信号分配手段と，前記受信装置側で生成される受信パイロット信号の基となる前記伝送信号のパイロット信号と同一周波数のパイロット信号を生成するパイロット信号生成手段と，当該パイロット信号生成手段にて生成されたパイロット信号と前記信号分配手段にて分配された受信パイロット信号とを混合することにより，これら両信号の周波数の差の周波数を有する補正信号を生成する補正信号生成手段と，当該補正信号生成手段にて生成された補正信号と前記受信伝送信号とを混合することによって，前記受信伝送信号を周波数変換する第２周波数変換手段と，当該第２周波数変換手段に周波数変換された信号から前記送信装置が送信してきた元の伝送信号を抽出する信号抽出手段と，を備えた受信装置において，
この受信装置において生成されるパイロット信号は，当該受信装置から抽出された元の伝送信号に含まれる２つのパイロット信号の差の成分を基準信号とし，当該２つのパイロット信号のうち前記補正に使用しなかった他方のパイロット信号成分を比較信号として，当該基準信号と比較信号との位相比較によって生じる制御電圧によって動作する電圧制御発振器によって生成されるよう構成したので，
この受信装置によれば，安価で簡単な構成で周波数漂動及び位相雑音の優れた送受信システムが構築できるのである。
【００１２】
請求項３の発明によれば，請求項１に記載の送受信システム又は請求項２に記載の受信装置において，前記送信装置は伝送信号を３〜７０ＧＨｚ帯の信号にアップコンバートし，当該アップコンバート後の信号を送信アンテナから放射し，前記受信装置は前記送信アンテナからの送信電波を受信アンテナによって受信し，当該受信信号をダウンコンバートすることにより，前記伝送信号を正確に復元するように構成したので，
例えば地上ディジタル放送において，送信所間で放送番組を伝送する無線回線（ＴＴＬ：Ｔｒａｎｓｍｉｔｔｅｒ  ｔｏ  Ｔｒａｎｓｍｉｔｔｅｒ  Ｌｉｎｋ  以下ＴＴＬと記載する。）のように，周波数変動が非常に厳しく規定され，位相雑音の優れた特性が要求される回線設計に最適なシステムや装置を提供できる。
【発明を実施するための最良の形態】
【００１３】
以下に，本発明を具体化した実施形態の例を，図面を基に詳細に説明する。
図１は本発明の送受信システム全体の構成を示す構成図である。図２は本発明に係る受信システムを構成する送信装置と受信装置の回路構成を示すブロック図である。
【実施例１】
【００１４】
図１に本発明の受信システムを示し，このシステムの好適な例として地上ディジタル放送における無線回線の構成を示すものであり，特にマイクロ波帯を利用した中間周波伝送方式（以下ＩＦ伝送方式と記載する。）に関する。
この方式ではスタジオ１０１において送信すべき伝送信号は，例えばマイクロ波帯の７ＧＨｚにアップコンバートして送信アンテナ１０１ｂから親局の送信所１０２への無線回線（ＳＴＬ：Ｓｔｕｄｉｏ  ｔｏ  Ｔｒａｎｓｍｉｔｔｅｒ  Ｌｉｎｋ  以下ＳＴＬと記載する。）で送出される。
前記送信アンテナからの送信電波を親局１０２の受信アンテナ１０２ａで受信し，当該受信信号を受信側局発信号を用いてダウンコンバートすることにより，前記伝送信号を復元する。復元された信号は親局の送信所１０２において更に地上ディジタル放送の信号に変調されて，送信所１０２からＵＨＦ帯の信号で再送信される。
【００１５】
一方，親局の送信所１０２において復元された元の伝送信号は更に送信所１０２においてアップコンバートされて送信アンテナ１０２ｂから中継局の送信所１０３への無線回線（ＴＴＬ）で送出されるのである。この中継局の送信所１０３においても前記送信アンテナ１０２ｂからの送信電波を中継局１０３の受信アンテナ１０３ａで受信し，当該受信信号を受信側局発信号を用いてダウンコンバートすることにより，前記伝送信号を復元する。復元された信号は中継局の送信所１０３において更に地上ディジタル放送の信号に変調されて，送信所１０３からＵＨＦ帯の信号で再送信される。また，中継局の送信所１０３において復元された元の伝送信号は，更に送信所１０３においてアップコンバートされて送信アンテナ１０３ｂから中継局の送信所１０４への無線回線（ＴＴＬ）で送出されるのである。
【００１６】
ところでこの実施例に示すような番組中継用の無線回線では，送受信装置間における周波数漂動や，送受信装置の位相雑音等に非常に厳しい規格が設けられている。即ち送信装置や受信装置でに備えられアップコンバートやダウンコンバートに用いられる局発信号発振器の周波数変動は厳密に少なくする必要があるし，これらの局発信号発振器に安定度の優れた高価なものを使用することによって周波数漂動は少なくなるものの，それ自体が非常に高価であることから製品のコストにも影響してしまう。
また，無線回線の場合，送受信アンテナのカップリングにおいて，アンテナの振動やアンテナを設置した鉄塔等の振動によってドップラー効果がおき，送信周波数と受信周波数とが変化してしまうといった問題も大きいものであった。
更に，地上ディジタル放送に使用する場合のように，伝送信号に映像信号や音声信号が含まれるような場合では，送受信装置の位相雑音もより優れたものが望ましいのである。  そこで本発明の特徴はこれらの問題に対応するためになされたものであり，特に好適な例として７ＧＨｚ帯の信号を使用したＴＴＬの例を用いて以下に詳細に説明する。
【００１７】
図２は本発明の送信装置１０と受信装置２０の構成を示すブロック図を示す。
前記親局の送信所において中間周波信号に変換された伝送信号は送信装置１０の入力端子Ｔｉｎから入力される。
この伝送信号は所定帯域を有する基本信号（本発明の例では３７．１５ＭＨｚ）と，当該基本信号の前後に所定周波数だけ離れた周波数のパイロット信号（本発明の例では３３．１５ＭＨｚと４１．１５ＭＨｚ）とからなる。
入力された伝送信号は中間周波信号を増幅する増幅回路１１において所定レベルまで増幅された後に，アップコンバートされて７ＧＨｚ帯の一つのバンドである５８９２．５ＭＨｚ帯の信号に変換される。この送信信号は本発明ではアップコンバートに必要な局発信号発振器と送信電波の周波数帯とをフィルタ等で分離し易くするため近接しないように，伝送信号を２回周波数変換するように構成されている。
【００１８】
図において１２は局発信号発振器であり，本発明の実施例では例えば２６０ＭＨｚの局発信号を用いている。１３は前記伝送信号と局発信号とで周波数変換するための周波数変換器である。この実施例においては，伝送信号と局発信号との周波数の和成分を選択的に取り出すように構成されており，これによって周波数変換器１３の出力は中心周波数が２９７．１５ＭＨｚとなる信号となる。１４はこの信号を所定レベルまで増幅する増幅回路である。増幅回路１４で増幅された信号は，更に局発信号発振器１５によって生成される局発信号５５９５．３５ＭＨｚと，周波数変換回路１６とによってこれら両信号の和の成分である５８９２．５ＭＨｚの信号を選択的に出力されるように構成されている。この信号は更にこの信号を所定レベルまで増幅する増幅回路１７によって増幅された後に，送信アンテナ１８（前記送受信システムの図においては１０２ｂ，１０３ｂに相当する。）から受信装置２０に送信される。
【００１９】
次に受信装置２０について説明する。受信アンテナ２１で受信した信号は増幅回路２２で所定レベルまで増幅された後にダウンコンバートする。本発明の実施例では，先ず受信側局発信号を発生する局発信号発振器２３と，この局発信号発振器２３から発生した受信側局発信号と前記増幅回路２２で増幅された受信信号とを混合して，前記両信号の差の周波数帯の信号を選択的に出力することによって，受信信号をダウンコンバートするよう構成された周波数変換器２４とで周波数変換を行う。本発明の実施例においては，前記受信側局発信号は５５９５．３５ＭＨｚであり，前記受信信号である５８９２．５ＭＨｚの信号と混合して得られる差の周波数成分を選択的に得られるように構成されることによって，２９７．１５ＭＨｚを中心数周波数とする信号にダウンコンバートされるのである。
【００２０】
次に，周波数変換器２４の出力側には信号分配回路２５が接続されており，この信号分配回路２５の出力の一方には，前記周波数変換器２４から出力される信号の内，前記送信装置１０で送信すべき伝送信号に対応した受信伝送信号（受信信号から受信側局発信号を差し引いた周波数帯の信号であり，基本信号に対応した受信基本信号と，２つのパイロット信号に対応した受信パイロット信号とを含む信号）を選択的に通過させるフィルタ手段２６ａが接続され，
信号分配回路２５の他方の出力には，前記周波数変換器２４から出力される信号の内，前記送信装置１０で送信すべき伝送信号に対応した受信伝送信号に含まれる２つのパイロット信号のどちらか一方の受信パイロット信号を選択的に通過させるフィルタ手段２６ｂとの，２つのフィルタ手段が接続されている。
尚，本発明の実施例では説明を簡単にするために，前記フィルタ手段２６ｂを通過させる受信パイロット信号は，基本信号より低い周波帯のパイロット信号である場合について説明を行う。
【００２１】
フィルタ手段２６ｂを通過した受信パイロット信号（本発明の実施例は，２９３．１５ＭＨｚのパイロット信号。）は，周波数変換器２７に入力される。この周波数変換器２７には３０で示される電圧制御発振器が発生した受信機側のパイロット信号（本願の実施例によれば３３．１５ＭＨｚ）が入力されることによって，当該パイロット信号と前記受信パイロット信号とが混合される。この周波数変換器２７は，混合した信号から両信号の差の周波数成分である補正信号（本願の実施例によれば２６０ＭＨｚ）を選択的に取り出すように構成されている。
【００２２】
更に前記周波数変換器２７から出力された補正信号は，２８に示す周波数変換器２８に入力される。この周波数変換器２８には，前記フィルタ手段２６ａを介して受信伝送信号も入力されており，この受信伝送信号と前記補正信号とが混合されることによって，周波数変換器２８の出力側には両信号の差の周波数成分の信号が選択的に出力されるように構成されている。本発明の実施例によれば，フィルタ回路２６ａを選択的に通過した受信伝送信号は，基本信号に対応する信号が２９７．１５ＭＨｚであり，パイロット信号に対応する受信パイロット信号は２９３．１５ＭＨｚと３０１．１５ＭＨｚであるから，受信側のパイロット信号である２６０ＭＨｚの信号と混合することによって，受信基本信号は３７．１５ＭＨｚに，受信パイロット信号は３３．１５ＭＨｚと４１．１５ＭＨｚとなって，送信装置１０によって送出された伝送信号となって復元されるのである。
次に周波数変換器２８を通過した信号は増幅回路２９によって所定レベルまで増幅された後に受信装置の出力端子Ｔｏｕｔから出力されるのである。
【００２３】
次に受信装置のパイロット信号の発生回路について詳細に説明する。受信側のパイロット信号は前述のように電圧制御発振器３０によって発生するのであるが，この電圧制御発振器はＰＬＬ回路３１によって電圧を制御されることによって安定したパイロット信号が発生できるのである。
このＰＬＬ回路には，前記に示すように復元された受信信号の一部を取り出し，当該受信信号から，前記受信信号に含まれるパイロット信号の差の周波数成分の信号を合成する事によって得られた信号を，当該信号を選択的に通過させるフィルタ手段３２を介して，基準信号として加えると共に，前記パイロット信号であって，基本信号より高い周波数帯にあるパイロット信号を，当該信号を選択的に通過させるフィルタ手段３３を介し，比較信号として加えることによって，前記基準信号と比較信号とを位相比較して得られる制御電圧によって前記電圧制御発振器３０の発振周波数を安定的に制御するように構成されているのである。
【００２４】
このように構成された送受信システムついて更に詳細に説明する。送信装置１０における周波数の変動要素である２つの送信側局発信号発振器１２，１５の周波数変動Δ１，Δ２と，送信アンテナ１８と受信アンテナ２１との間において生じるドップラー効果による周波数変化Δ３と，受信側局発信号発振器２３の周波数変化Δ４と受信側のパイロット信号発生回路３０による周波数変動が考えられる。
そこで先ず前記パイロット信号発生回路３０をＰＬＬ回路によって変動しないように制御する。
次に，受信装置２０の周波数変換器２４の出力信号である受信伝送信号は，送信するべき伝送信号に対応した受信伝送信号の基本信号が２９７．１５ＭＨｚであり，パイロット信号に対応する受信パイロット信号は２９３．１５ＭＨｚと３０１．１５ＭＨｚであるから，夫々の信号に前記周波数変動分が加算された信号（２９７．１５＋Δ１＋Δ２＋Δ３＋Δ４及び２９３．１５＋Δ１＋Δ２＋Δ３＋Δ４及び３０１．１５＋Δ１＋Δ２＋Δ３＋Δ４）となる。これらの信号と，この信号から受信パイロット成分（２９３．１５＋Δ１＋Δ２＋Δ３＋Δ４）のみ選択的に通過させた信号と，前記受信側のパイロット信号である３３．１５ＭＨｚの信号を混合することによって，補正信号（受信パイロット信号成分―パイロット信号）である２６０ＭＨｚ＋Δ１＋Δ２＋Δ３＋Δ４が出力される。
この補正信号と前記受信伝送信号とが周波数変換器２８において混合されることによって，前記周波数変動分であるΔ１＋Δ２＋Δ３＋Δ４は相殺される。
また，前記補正信号を生成するための受信装置側のパイロット信号は，前述のように復元された復元信号に含まれるの２つのパイロット信号を用いて基準電圧と比較電圧を作ってＰＬＬ制御する電圧制御発振器３０で生成していることから，受信装置側のパイロット信号は非常に安定したものとなり，正確に元の伝送信号が復元されるのである。
【００２５】
本発明の実施例では，送信すべき伝送信号は基本信号と当該基本信号の前後に所定の周波数だけ離れて加えられたパイロット信号とからなる例で説明したが，例えば伝送信号にはどちらか一方のパイロット信号を１つだけを加えることとして，受信装置側の受信側パイロット信号は前記一方のパイロット信号と同一周波数にして，受信側パイロット信号発振回路は，受信装置によって復元された伝送信号に含まれるパイロット信号と，受信装置に個別に具備させた基準信号発振器とによってＰＬＬ制御される電圧制御発振器で生成するように構成しても良い。この場合は，パイロット信号が１波のみのためシステムの回路構成が安価になるといった特長を有すると共に，復元される伝送信号の周波数変動は，前記基準信号発振器と伝送信号の差分のみとなり高い周波数安定性能が得られる。
また，本発明は１チャンネル分の構成ついて説明したが，実際のシステムにおいては，この構成例に示すような送受信装置の組み合わせを複数個備えさせて，複数チャンネルの送受を行えるように構成しても良い。
尚，前記実施例は本発明に係る実施形態の一例を示したものであり，上記実施の形態に限定されるものではなく，本発明の趣旨を逸脱しない範囲で，例えば送信側及び受信側の局発信号を変更しても良いし周波数変換の回数も実施例に限定されるものではない。また必要に応じて各所要位置に増幅回路を更に備えさせても良いし減らしても良いなど，各部の構成を適宜に変更して実施することも可能である。
【図面の簡単な説明】
【００２６】
【図１】本発明の受信システム全体の構成を示す構成図である。
【図２】本発明に係る受信システムを構成する送信装置と受信装置の回路構成を示すブロック図である。
【符号の説明】
【００２７】
１０…送信装置，１１…増幅回路，１２…局発信号発振器，１３…周波数変換器，１４…増幅回路，１５…局発信号発振器，１６…周波数変換器，１７…増幅回路，１８…送信アンテナ，２０…受信装置，２１…受信アンテナ，２２…増幅回路，２３…第１の局発信号発振器，２４…周波数変換器，２５…信号分配手段，２６ａ・２６ｂ…フィルタ手段，２７…周波数変換器，２８…周波数変換器，２９…増幅回路，３０…パイロット信号発振回路（電圧制御発振器），３１…ＰＬＬ制御回路，３２…フィルタ手段，３３…フィルタ手段，３４…信号処理手段，Ｔｉｎ…入力端子，Ｔｏｕｔ…出力端子，１０１…スタジオ，１０２…親局の送信所，１０３・１０４…中継局の送信所，１０２ａ・１０３ａ・１０４ａ…受信アンテナ，１０１ｂ・１０２ｂ・１０３ｂ…送信アンテナ
【図１】
2006014115.tif 000003
【図２】
2006014115.tif 000004